(57)【要約】【課題】外部入力チャンネルを自動的に検索する。【解決手段】受信可能なチャンネル情報テーブルを用いて放送チャンネルを検索し、またその後テレビチューナー部１２でオートスキャンしてチャンネルを検索することにより、撮影手段（５０）から取り入れられた画像情報と同じ放送チャンネルを検索し、該当するチャンネルを検索したときそのチャンネルに該当する番組を表示部２０に表示する。【選択図】図１
2007124418.tif 000002
【特許請求の範囲】
【請求項１】
画像を撮影し、記憶している放送波の受信チャンネル情報テーブルに基づいてチャンネルをスキャンし、該スキャンして得られた映像情報と前記撮影した画像情報とを比較して前記画像情報に関連するチャンネルを検索するチャンネル検索方法。
【請求項２】
前記記憶している放送波の受信チャンネル情報テーブルに基づいてチャンネルをスキャンした結果、前記撮影した画像情報に関連するチャンネルが無かった場合、放送波の受信チャンネルを全てスキャンして、前記撮影した画像情報に関連するチャンネルを検索することを特徴とする請求項１記載のチャンネル検索方法。
【請求項３】
放送波を受信する受信手段と、
放送波の受信チャンネル情報を記憶している記憶手段と、
撮像手段により取得した画像情報と、前記記憶手段に記憶している放送波の受信チャンネル情報に基づいて前記受信手段により受信して得られた放送の映像情報と、を比較して前記画像情報に関連するチャンネルを検索する制御手段と、
を備えた放送受信装置。
【請求項４】
前記制御手段は、前記記憶している放送波の受信チャンネル情報テーブルに基づいてチャンネルをスキャンした結果、前記撮像手段により取得した画像情報に関連するチャンネルが無かった場合、放送波の受信チャンネルを全てスキャンして、前記撮像手段により取得した画像情報に関連するチャンネルを検索することを特徴とする請求項３記載の放送受信装置。
【発明の詳細な説明】
【技術分野】
【０００１】
本発明は、チャンネル検索方法及び放送受信装置に関し、特に簡単な操作により所望するテレビ番組を検索し、該当するチャンネルが検索されたとき、この番組を視聴することを提供する。
【背景技術】
【０００２】
従来、テレビ受信機Ａで視聴している番組を、もう一方のテレビ受信機Ｂで視聴するためには、以下２通りの方法で行う必要がある。
第１に、その番組が放送されているチャンネル番号を知っている場合、テレビ受信機Ｂでそのチャンネル番号を選択する。第２に、その番組を放送するチャンネル番号を知らない場合、テレビ受信機Ｂでチャンネル番号の選択操作を繰り返し行い、その番組を放送するチャンネルを探す。
【０００３】
また、最近ではテレビ機能が搭載された携帯電話などの（携帯）放送受信装置が一般的に普及しつつある。この種のテレビ機能はユーザが何処へでも持ち運ぶことが可能なことから、使用される地域が一箇所に限定されることがなく、ユーザの移動に合わせて広範囲に渡って使用される。そのため、受信可能なチャンネル（＝放送局）も移動地によって変わり、それに伴ってユーザはチャンネルを合わせる必要がある。
さらに同一地域であっても建築物などの環境による影響で受信可能なチャンネルも変化する。また、地域によってはテレビ中継局によりあるチャンネルと同じ内容の放送を別のチャンネルで放送したり、地方都市においては都心の放送局をキー局とするネットワーク系列に属する地方放送局がキー局と同じ内容の放送を独自のチャンネルで放送したりしているケースもある。
従って、移動しながらの使用が前提とされる持ち運び可能なテレビ（受信機）は、特にユーザが旅行や出張と言った県境を大きく跨ぐような移動が発生した場合、その都度（テレビ）受信機のオートスキャンを実行しその地域で視聴可能なチャンネルをテレビに認識させる必要がある。
上記のような持ち運び可能なテレビ受信機において、電波状況や受信可能な放送局が変化することに着目した技術が特許文献１に開示されている。
【０００４】
また、特許文献２には、ＣＣＤ（Ｃｈａｒｇｅ  Ｃｏｕｐｌｅｄ  Ｄｅｖｉｃｅ）ビデオカメラによりテレビジョン受信機の画像を撮像し、撮像した画面からグローバル２Ｄコードを検出し、検出したグローバル２Ｄコードをグローバル２Ｄコード管理サーバに供給し、対応するＵＲＬを提供するパーソナルコンピュータが開示されている。
【特許文献１】特開平６−２８４３５１号公報
【特許文献２】特開２０００−２８７１８４号公報
【発明の開示】
【発明が解決しようとする課題】
【０００５】
上述したように、テレビ受信機Ａで視聴している番組をもう一方のテレビ受信機Ｂで視聴するための操作方法の第１の問題と、移動による受信可能なチャンネルが変化する第２の問題の２つがある。上記第１の問題のテレビ受信機が持ち運び可能なテレビ受信機の場合、使用される場所が一箇所に固定されないため、第２の問題が発生する可能性が高まり、オートスキャンを実行してその場所（地域）で視聴可能なチャンネルの確認を必要とする。
すなわち、旅行や出張等の移動先において、ユーザが現地のテレビ受信機で目にした番組を、ユーザが所持する持ち運び可能なテレビ受信機、またはテレビ受信機能付（携帯）放送受信装置で引き続き視聴する場合、以下の手順を踏む必要がある。
手順１．オートスキャンの実行。
手順２．番組を放送するチャンネルの検索（手動）。
今後、ユーザのニーズに合わせてテレビ受信機のチャンネル数が増えることも予想され、ユーザが手動で該当するチャンネルの検索をすることはユーザに更なる負担を強いるなどの問題があった。
また特許文献２においては、２Ｄコードは番組データ中の画像データの各フレームの所定の位置に重畳する必要があるので、特殊な映像に限定される。
本発明は、上記課題に鑑みてなされたもので、その目的とするところは、任意の地域で受信可能なチャンネルに関する情報を含むチャンネル情報テーブルの記憶領域を１つ以上持ち、これを用いてテレビチャンネルをスキャンする機能、ユーザの要求に合わせてチャンネル情報テーブルの内容編集機能と、オートスキャン機能（チャンネル自動検出機能）を備えるテレビ機能及びカメラ機能付き放送受信装置に関し、撮像手段または音声入力手段から取り込んだ信号と放送受信装置の放送チャンネル受信部から受信した信号を比較し、撮像手段または音声入力手段から取り込んだ信号と同じ内容の放送しているチャンネルを自動的に検索し、該当するチャンネルを表示または出力することである。
【課題を解決するための手段】
【０００６】
本発明のチャンネル検索方法は、画像を撮影し、記憶している放送波の受信チャンネル情報テーブルに基づいてチャンネルをスキャンし、該スキャンして得られた映像情報と前記撮影した画像情報とを比較して前記画像情報に関連するチャンネルを検索することを特徴とする。
本発明の放送受信装置は、放送波を受信する受信手段と、放送波の受信チャンネル情報を記憶している記憶手段と、撮像手段により取得した画像情報と、前記記憶手段に記憶している放送波の受信チャンネル情報に基づいて前記受信手段により受信して得られた放送の映像情報と、を比較して前記画像情報に関連するチャンネルを検索する制御手段とを備える。
【発明の効果】
【０００７】
本発明のチャンネル検索方法及びそれを用いた放送受信装置は、外部からチャンネル情報を取り入れるだけで自動的に該当チャンネルを選局受信できる。
【発明を実施するための最良の形態】
【０００８】
図１にテレビ及びカメラ機能付き放送受信装置１００のブロック構成図を示す。
テレビ及びカメラ機能付き放送受信装置１００は、アンテナ１１、テレビチューナー部１２、ＣＰＵ（中央演算装置；制御用マイクロコンピュータ）１３、音声処理部１４、カメラ処理部１５、ＲＯＭ（Ｒｅａｄ  Ｏｎｌｙ  Ｍｅｍｏｒｙ；読出し専用記憶装置）１６、ＲＡＭ（Ｒａｎｄｏｍ  Ａｃｃｅｓｓ  Ｍｅｍｏｒｙ；書込み・読出し記憶装置）１７、その他機能部１８、操作部１９、表示部２０、スピーカ３０、マイク４０、カメラ５０などで構成されている。
【０００９】
アンテナ１１はたとえばテレビ用として用いられる図１に示したテレビ受信機の場合、例えばテレビ放送のＶＨＦ，ＵＨＦ帯チャンネルの信号を受信する。
【００１０】
テレビチューナー部１２は、放送波を受信処理する機能を有する回路で構成され、テレビＲＦ（Ｒａｄｉｏ  Ｆｒｅｑｕｅｎｃｙ）チューナー回路、ＩＦ（中間周波数）回路、ビデオ信号処理回路、オーディオ信号処理回路、同期回路などで構成されている。
テレビＲＦ（Ｒａｄｉｏ  Ｆｒｅｑｕｅｎｃｙ）チューナー回路は同調回路、ミキサ、発振器、増幅回路などで構成されている。発振器は共振回路にバリキャップダイオードが用いられ、ＰＬＬ（Ｐｈａｓｅ  Ｌｏｃｋｅｄ  Ｌｏｏｐ）回路を用いて制御電圧を可変してバリキャップダイオードの容量値を可変して共振周波数を変え、発振周波数を変化する。その結果、入力されたチャンネル周波数の中から任意のチャンネルが選択できる。
また、バリキャップダイオードに供給する制御電圧を連続的に可変することにより、発振器の発振周波数を自動的に増加または減少させて、チャンネルを自動的にスキャン（オートスキャン）できる。
テレビＲＦチューナーで出力されたＩＦ周波数はＩＦ回路で増幅され、ビデオ信号に検波され、ビデオ信号処理回路でガンマ補正、ホワイトバランスなどのビデオ処理が行われ、ＣＰＵ１３に出力される。またビデオ信号と分離されたオーディオ信号は復調されＣＰＵ１３に出力される。ビデオ信号を表示部２０で表示するため、同期回路でビデオ信号から水平・垂直同期信号を分離し、ＣＰＵ１３を介して表示部２０に出力される。
【００１１】
ＣＰＵ１３は、一般にマイクロコンピュータで構成され、操作部１９から入力されたコマンド、データなどにより制御されＲＯＭ１６内蔵の制御用プログラムなどに従い動作し、またＲＡＭ１７とデータの授受を行う。
ＣＰＵ１３は、テレビチューナー部１２からの音声信号や携帯電話の音声信号を音声処理１４部へ出力し、また、カメラ５０から画像の取り込み制御を行い、カメラ５０から取り込んだ画像（信号）やテレビチューナー部１２から入力されたテレビ映像信号を表示部２０へ出力し、画像を表示する。
さらに、ＣＰＵ１３は、ＲＡＭ１７のチャンネル情報テーブル１、・・・、チャンネルテーブルｎ（３）に基いて、テレビチューナー部１２に構成されているテレビＲＦチューナー回路のテレビチャンネルを選局し、あるいはある地域のテレビチャンネルについてオートスキャン動作等を行い、得られたテレビチャンネルの情報をＲＡＭ１７のテレビ用チャンネル情報テーブル１（、・・・、ｎ（３））に書き込んだりする。
ＣＰＵ１３は、カメラ５０から取り込んだ画像とテレビチューナー部１２でスキャンされて逐次出力される映像とを比較し、画像（情報）の一致不一致を判定し、一致したチャンネルを決定し、テレビチューナー部１２からの映像を表示部２０に出力する。また、ＣＰＵ１３は、チャンネル検索時の検索結果（メニュー）を表示部２０に表示するようにも制御する。
この他、携帯電話動作やカメラ動作の制御を行い、その結果をＲＡＭ１７などに記憶し、表示部２０に携帯電話情報やカメラから取り込んだ画像を表示する。
【００１２】
音声処理部１４は、テレビチューナー部１２で出力されてＣＰＵ１３を介して出力されたテレビ音声信号と携帯電話から供給された音声信号を処理してスピーカ３０に出力する。また、マイク４０から入力された音声信号を符号化処理して、ＣＰＵ１３を介して携帯電話の送信用信号処理部へ出力される。
例えば、携帯電話動作のとき、音声処理部１４において、マイク４０から入力される音声信号が増幅された後Ａ／Ｄ（アナログ−ディジタル）変換され、さらに符号化等の信号処理が行われる。このディジタル音声信号がＣＰＵ１３を経由して不図示の携帯用の送信信号処理部に出力される。一方、ＣＰＵ１３を経由して供給された音声データは復号処理され、Ｄ／Ａ（ディジタル−アナログ）変換され、アナログ音声信号に変換された後、増幅されてスピーカ３０に出力される。
カメラ処理部１５は、ＣＰＵ１３の制御信号により制御され、撮像された画像信号を例えば表示部２０に転送する。
【００１３】
ＲＯＭ１６は、（テレビ及びカメラ機能付き）放送受信装置１００の動作に必要な情報や、ＣＰＵ１３を動作するためのプログラムなどが記憶され、このプログラムに従ってＣＰＵ１３は動作する。
【００１４】
ＲＡＭ１７は、たとえばチャンネル情報テーブル１、・・・、チャンネル情報テーブルｎ（３）などが記憶され、あるいはＣＰＵ１３の制御によりテレビチューナー部１２でチャンネルをスキャンして得られたチャンネル情報データが新たに記憶される。
また携帯電話のメールを行うための情報などが記憶される。たとえば、現在（テレビ及びカメラ機能付き）放送受信装置１００が受信しているサービス情報や、サービス情報の受信に際してＣＰＵ１３で処理して得られた情報、基地局としてのアクセスポイントから受信した周辺基地局情報が記憶される。
【００１５】
操作部１９は、たとえば数字キー、文字キー、矢印キー、決定キーなどの各種の機能を持ったキーで構成され、文字情報、数値などが入力される。この入力された情報に従いＣＰＵ１３から出力される制御信号により、携帯電話動作、カメラ動作やテレビ受信機としての動作などが行われるための種々の制御が行われる。
【００１６】
表示部２０は、ＬＣＤ（Ｌｉｑｕｉｄ  Ｃｒｙｓｔａｌ  Ｄｉｓｐｌａｙ）等の表示パネルと表示パネルを照明するバックライト等で構成されて、ＣＰＵ１３から供給された制御信号により制御され、テレビチューナー部１２から出力されたテレビ映像、カメラ５０から取り込んだ画像、その他操作部１９で制御されて得られた携帯電話のメールなどの文字情報、画像情報、（テレビ及びカメラ機能付き）放送受信装置１００の動作状態（電界強度、電池残量、時刻）などが表示される。
【００１７】
スピーカ３０は、携帯電話に関する音声を出力し、また操作部１９から入力されたコマンドを用いてＣＰＵ１３から出力された制御信号でテレビ機能を選択した場合、テレビチューナー部１２から出力された音声を出力する。
【００１８】
マイク４０は、携帯電話の動作状態のとき音声が入力され、音声処理部１４で信号処理されて携帯電話の送信用信号処理部（不図示）に出力される。また、マイク４０は画像信号を用いてテレビチャンネルを検索する以外に、音声入力によるテレビチャンネル検索の時にも利用される。
【００１９】
カメラ５０は、画像を取り込みカメラ処理部１５に出力する。テレビ及びカメラ機能付き放送受信装置１００がテレビ動作以外のとき、あるいはこれと連動して用いられ、たとえば放送受信装置を介してカメラ５０で取り込んだ画像を転送するために用いられたりする。また、テレビ映像を取り込み、その画像がどのチャンネルかを検索するときにも用いられる。
【００２０】
次に、テレビ及びカメラ機能付き放送受信装置１００の動作を図２と図３を用いて説明する。
旅行や出張などの移動先において、ユーザが現地のテレビ（受信機）で目にした番組を、ユーザが所持するテレビ及びカメラ機能付き放送受信装置１００で引き続き視聴した場合、ユーザはテレビ及びカメラ機能付き放送受信装置１００のカメラ機能でそのテレビ画面を撮影し、後述のフローチャートで説明する本発明の機能を実現させる。この結果、テレビ及びカメラ機能付き放送受信装置１００は、該当するチャンネルの検索を実施し、該当するチャンネルがあればテレビ機能で引き続き番組を視聴できるようにする。
【００２１】
また、テレビチャンネル検索は、まずチャンネル情報テーブルにあるチャンネルを検索し、次にオートスキャンして外部で放送されているテレビチャンネルを検索する、２段階に分けられる。これは、チャンネル情報テーブルにあるチャンネルはユーザが通常視聴しているチャンネルであり、受信可能な確率および該当チャンネルである確率が高いと考えられ、優先的に検索の対象とする。またオートスキャンは処理時間を要するため、その結果このような２段階の検索段階を踏むこととする。
上記検索処理にて該当するチャンネルが検出されれば、直ちにテレビ機能に遷移し、ユーザはテレビ及びカメラ機能付き放送受信装置１００で引き続きその番組を視聴できるようにする。
【００２２】
ステップＳＴ０１において、たとえば旅行や出張先等でユーザがたまたま目にしたテレビ番組を、自分の所持するテレビ及びカメラ機能付き放送受信装置１００で引き続き見たい場合があり、チャンネル検索機能を開始する。例えば街頭テレビにテレビ番組の映像が表示された例を図３（Ａ）に示す。
【００２３】
ステップＳＴ０２において、操作部１９でキー操作してカメラ５０を操作するためのコマンドを入力し、ＣＰＵ１３からカメラ５０に制御信号を出力し、カメラ５０を起動する。このカメラ５０でたとえば上述した街頭テレビに映し出された映像を撮影し、カメラ処理部１５で画像処理し、ＣＰＵ１３（あるいはバス）を介してＲＡＭ１７に記憶すると共に表示部２０にこの取り込んだ画像を表示する。この街頭テレビの映像をカメラ５０で捕捉した図を図３（Ｂ）に示す。
【００２４】
ステップＳＴ０３において、ユーザは所持していたテレビ及びカメラ機能付き放送受信装置１００の操作部１９からキー操作し、ＣＰＵ１３にコマンドを転送して、ＣＰＵ１３からチャンネル検索用の制御信号を発生しテレビチューナー部１２に供給して、テレビチューナー部１２を起動してテレビチャンネル検索を開始し、任意のチャンネルに設定する。
カメラ機能を起動後、テレビ画面を捕捉してからボタン押下（キー操作）などによるトリガで該当するチャンネルの検索を開始してもよく、また、（テレビ及びカメラ機能付き）放送受信装置１００は、カメラ５０から取り入れられたテレビ画面の捕捉を自動で検出して該当するチャンネルの検索を開始しても良い。
【００２５】
ステップＳＴ０４からステップＳＴ０６の動作は、ＲＡＭ１７のチャンネル情報テーブル１、・・・、チャンネル情報テーブルｎ（３）に記憶されたチャンネル情報を用いてチャンネルの検索が行われる。
【００２６】
ステップＳＴ０４おいて、ＣＰＵ１３の制御信号によりＲＡＭ１７に記憶されたチャンネル情報テーブル１（、・・・、チャンネル情報テーブルｎ（３））からチャンネル情報を読み出す。この読み出したチャンネル情報に基いて、ＣＰＵ１３はテレビチューナー部１２を制御し、チャンネルが選択され、選択されたチャンネルの映像が出力される。このテレビチューナー部１２から出力された映像（信号）とカメラ５０から取り込まれた画像を比較して、両者の画像（情報）が一致しているかどうか判断される。一致した場合ステップＳＴ１２に遷移し、不一致の場合、ステップＳＴ０５へ遷移する。
【００２７】
テレビチューナー部１２でチャンネルが選択され出力されたテレビ映像とカメラ５０から取り込まれた画像（情報）を比較して一致すると、ステップＳＴ１２において、該当チャンネルがあると判断され、テレビ及びカメラ機能付き放送受信装置１００はテレビ機能に遷移する。
カメラ５０から取り込まれた画像とテレビチューナー部１２から出力された映像信号が一致すると、ＣＰＵ１３により、カメラ機能と携帯電話機能の表示機能などの一部の機能は停止し、直ちにテレビ機能に遷移する。即ち、テレビチューナー部１２からの映像信号を表示部２０に表示し、テレビ番組を視聴できるようにする。またこれと同時に、ＣＰＵ１３の制御信号により音声処理部１４を制御して、テレビチューナー部１２から出力されたテレビ音声信号を処理してスピーカ３０へ出力する。
そして、一連の操作は終了する（ステップＳＴ１３）。
【００２８】
ステップＳＴ０５において、テレビチューナー部１２から出力されたチャンネル映像とカメラ５０から取り込んだ画像が一致しない場合、チャンネルの変更を行う。
チャンネル変更は、ＣＰＵ１３により、ＲＯＭ１６に組み込まれたプログラムにより、ＲＡＭ１７のたとえばチャンネル情報テーブル１（、・・・、チャンネル情報テーブルｎ（３））からチャンネルを順次変更し、そのチャンネルに対応した制御信号をＣＰＵ１３からテレビチューナー部１２に出力する。例えば、ＣＰＵ１３から出力された制御信号がディジタルデータである場合、このディジタルデータはテレビチューナー部１２に内蔵されているＤ／Ａ（ディジタル・アナログ）変換器（不図示）でアナログ電圧に変換されて、発振器などの同調回路のバリキャップダイオードに供給され、発振器の発振周波数が可変され、目的のチャンネル（周波数）が選択される。
【００２９】
ステップＳＴ０６において、チャンネル情報テーブル１（、・・・、チャンネル情報テーブルｎ（３））のチャンネルを全て検索したかどうか判断される。全てのチャンネルが検索されていないと、ステップＳＴ０４に遷移し、全てのチャンネルが検索されるまでステップＳＴ０４〜ステップＳＴ０６の動作が繰り返される。
【００３０】
ステップＳＴ０６で全てのチャンネルが検索された場合、まだカメラ５０から取り込んだ画像とテレビチューナー部１２から供給された映像が一致せず、カメラ５０から取り込んだ画像に対応するテレビチャンネルがＲＡＭ１７のチャンネル情報テーブルに存在していないことを示している。
【００３１】
ステップＳＴ０７のオートスキャン処理において、改めてテレビチャンネルを検索するときは、ＶＨＦ、ＵＨＦ帯のテレビチャンネルを自動的にスキャン（オートスキャン）して、各チャンネルに対応するチャンネル情報データ、たとえば周波数を読み取り、ＲＡＭ１７のチャンネル情報テーブル１、・・・、チャンネル情報テーブルｎ（３）のいずれかに順次書込み記憶する。
テレビチャンネルのオートスキャンは、ＣＰＵ１３からＲＯＭに組み込まれたプログラムにより制御信号がテレビチューナー部１２に出力され、例えば上述したＶＨＦ、ＵＨＦ帯の周波数全域にわたってチャンネルが自動的にスキャンできるように、発振器の発振周波数が可変される。具体的には、発振器を構成するバリキャップダイオードに印加される電圧を連続的に可変（スィープ）することで発振周波数をＶＨＦの１ＣＨ（チャンネル）から１２ＣＨまで、あるいはＵＨＦの１３ＣＨから７７ＣＨまで可変する。
また、オートスキャン中に、該当チャンネルを検索中であることを表示装置２０に表示する（例えば図３（Ｃ））。
【００３２】
ステップＳＴ０８において、（テレビ）チャンネルのスキャン処理を行い、スキャンに成功したかどうかを判断する。スキャン処理に成功するとステップＳＴ１０に遷移し、スキャンに失敗するとステップＳＴ０９に遷移する。
【００３３】
ステップＳＴ１０において、チャンネルのオートスキャンの途中、選択された特定のチャンネルの映像とカメラ５０で取り込まれた画像と比較して、両者が一致するかどうかを判定する。一致するとステップＳＴ１２へ遷移し、不一致のときはステップＳＴ０９へ遷移しスキャンを続行する。
【００３４】
ステップＳＴ１２において、ステップＳＴ０４でチャンネル情報テーブル１（、・・・、チャンネル情報テーブルｎ（３））を用いてチャンネルを検索して、テレビチューナー部１２から出力された映像とカメラ５０で取り込まれた画像が比較された結果、両者が一致したときと、オートスキャンしてテレビチューナー部１２から出力された映像とカメラ５０から取り込まれた画像を比較して両者が一致したとき、ＣＰＵ１３は該当チャンネルが存在したと判断する。ＣＰＵ１３は、直ちにテレビ機能へ遷移するよう制御信号をテレビチューナー部１２、音声処理部１４、表示部２０などに出力し、音声処理部１４から音声を出力し、また表示装置２０からテレビ番組の映像を表示するようにする。またこれと同時に、表示部２０はＲＡＭ１７などから供給されたチャンネル情報、時刻情報などを表示し、一連の動作を終了する（ステップＳＴ１３）。チャンネル検索成功時、テレビ機能に遷移したときの表示装置２０に番組を表示した例を図３（Ｅ）に示す。
【００３５】
ステップＳＴ０９において、チャンネルスキャンが失敗したときと（ステップＳＴ０８）、チャンネルスキャンが成功して得られたテレビチャンネル映像とカメラ５０から取り込まれた画像が不一致のとき、全てのチャンネルをスキャンしたかどうかを判断する。その結果、全てのチャンネルをスキャンしていないときは、ステップＳＴ０７に戻りオートスキャンの動作を繰り返す。一方全てのチャンネルをスキャンしたと判断されると、ステップＳＴ１１に遷移する。
全てのチャンネルがオートスキャンにより検索された結果、その地域で受信可能な全ての放送局（チャンネル）の情報更新処理も行いチャンネル情報テーブルに新たに記憶する。もし、該当するチャンネルと同じチャンネルが検出されれば、視聴するチャンネルとして受信感度の良いチャンネルを選択する。
【００３６】
ステップＳＴ１１において、チャンネル情報テーブル１（、・・・、チャンネル情報テーブルｎ（３））を用いてチャンネルの映像とカメラ５０から得た画像の一致を調べた結果、その画像に該当するチャンネルが見つからなかったときと、オートスキャンして得たチャンネル映像とカメラ５０から得た画像が一致しないときは、街頭テレビで表示された映像に対応するチャンネルは存在しなかったことを、表示装置２０に「該当チャンネルなし」とメッセージ表示し、一連の動作を終了する（ステップＳＴ１３）。検索失敗時のメッセージを表示した例を図３（Ｄ）に示す。
【００３７】
上述したように、カメラ５０での撮影が正常な場合と、テレビチューナー部１２から出力された映像が正常な場合について述べた。しかし、カメラ５０で街頭テレビの放映された映像を撮影中、手ぶれにより画像が不鮮明になったときや、テレビチューナー部１２で出力されたテレビ画面が大きくフレームアウトが発生する場合がある。これらのいずれか一方が発生しても映像と画像を比較してチャンネルを検索するので、その画像がどのチャンネルであるか判明するのは困難である。これを回避するため、該当するチャンネル検索をやり直す必要があり、その旨のメッセージを表示部２０に表示しても良い。
【００３８】
街頭テレビのチャンネルをオートスキャンしてそれに該当するチャンネルを検索することについて述べたが、そのオートスキャン中に得られた、その場所（地域）での受信可能なチャンネル情報を、ＣＰＵ１３の制御によりＲＡＭ１７のチャンネル情報テーブル１、・・・、チャンネル情報テーブルｎ（３）の中の書き換え可能なテーブルに書き込むようにしてもよい。
【００３９】
これまでカメラ５０を用いて、街頭テレビで放映された映像を取り込んだ画像とテレビチューナー部１２から出力された映像を比較して、チャンネルを検索することについて述べた。
しかし、画像情報だけでなく音声情報を用いてもテレビチャンネルを判別することもできる。例えば、街頭テレビからマイク４０に入力された音声を音声処理部１４で信号処理し、処理した音声情報をＣＰＵ１３に供給する。一方、テレビチューナー部１２から出力された音声信号を処理して得られた音声情報をＣＰＵ１３に供給し、マイク４０を介して供給された音声情報と比較して一致するかどうかを判断する。勿論、テレビチューナー部１２においては、図２に示したフローチャートに沿い、チャンネル情報テーブルやオートスキャンによりチャンネルを順次変え、全てのチャンネルの音声が得られるようにしてチャンネルの検索を行う。
その判断結果により、マイク４０から入力された音声信号がテレビチューナー部から出力された音声と一致するとき直ちにテレビ機能に遷移し、一致しないとき表示部２０に「該当チャンネルなし」などを表示部２０に表示する。
【００４０】
また、テレビ及びカメラ機能付き放送受信装置１００でテレビ番組以外の例えばラジオ番組が受信または選択できる場合、ラジオチャンネルの検索もでき、チャンネル検索後該当するチャンネルが存在すると即座に放送受信装置で聞くことができる。
例えば、外部から聞こえてくるラジオ音声を放送受信装置１００のマイク４０から入力し、その音声情報をＣＰＵ１３に供給する。一方、（テレビ及びカメラ機能付き）放送受信装置１００の不図示のラジオ受信部あるいはインターネット回線（通信部を有する場合）により得られた音声信号をＣＰＵ１３に供給し、マイク４０から入力された音声情報と比較して、マイク４０から入力された音声がラジオチャンネルの特定のチャンネルに該当するか否かが検索される。該当するチャンネルがあると、そのラジオ番組が受信継続され、スピーカ３０からラジオ音声が出力される。
【００４１】
以上述べたように、本発明におけるテレビ及びカメラ機能付き放送受信装置は、旅行や出張等の移動先において、ユーザが現地で街頭などのテレビ（受信機）で目にした番組に該当するチャンネルを自動的に検索することにより、ユーザが所持するテレビ及びカメラ機能付き放送受信装置で引き続き視聴できる。
ユーザはテレビ（受信機）の表示装置に向かって放送受信装置を揚げるだけでその番組を放送受信装置で見ることができる。
移動使用が前提とされるテレビ及びカメラ機能付き放送受信装置は、該当するチャンネルの検索をするにはオートスキャンを実行し、その地域で受信可能なチャンネルを検出することができる。
【００４２】
またオートスキャンは処理時間を要するため、チャンネル検索の順序は、まずチャンネル情報テーブルにあるチャンネルを検索し、次にオートスキャンでチャンネルを検索するという２段階に分ける。チャンネル情報テーブルにあるチャンネル（データ）はユーザが通常視聴しているチャンネルであり、受信可能な確率および該当チャンネルである確率が高いため、優先的に検索の対象とする。またオートスキャンは処理時間を要するため、２段階の検索を踏むことにより能率的にチャンネルを検索できる。
【００４３】
オートスキャンによりその地域で受信可能な全ての放送局（チャンネル）の情報更新処理も行いチャンネル情報テーブルに新たに記憶し、該当するチャンネルと同じチャンネルが複数検出されれば、視聴するチャンネルとして受信感度の良いチャンネルを選択することができる。
【００４４】
また、画像以外に、音声によってもテレビチャンネルあるいはラジオチャンネル等を自動的に検索でき、所望の映像、音声を視聴できる。
【図面の簡単な説明】
【００４５】
【図１】テレビ及びカメラ機能付き放送受信装置の構成を示す図である。
【図２】図１に示したテレビ及びカメラ機能付き放送受信装置の動作を説明するためのフローチャートである。
【図３】テレビ及びカメラ機能付き放送受信装置の動作遷移の表示画面を示した図である。
【符号の説明】
【００４６】
１１…アンテナ、１２…テレビチューナー部、１３…ＣＰＵ（中央演算装置；マイクロコンピュータ）、１４…音声処理部、１５…カメラ処理部、１６…ＲＯＭ（Ｒｅａｄ  Ｏｎｌｙ  Ｍｅｍｏｒｙ）、１７…ＲＡＭ（Ｒａｎｄｏｍ  Ａｃｃｅｓｓ  Ｍｅｍｏｒｙ）、１９…操作部、２０…表示部、３０…スピーカ、４０…マイク、５０…カメラ、１００…放送受信装置。
【図１】
2007124418.tif 000003
【図２】
2007124418.tif 000004
【図３】
2007124418.tif 000005